(57)【要約】【課題】釣具リールのハンドリング性を損なうことなく、スプール軸の円滑な回転を確保することである。【解決手段】スプール軸１４ａを回転自在に支持する玉軸受１の軸受空間に、潤滑グリースと平均分子量１×１０６〜５×１０６の超高分子量ポリエチレンを主成分とする混合物を熱固化した流動性のない固形潤滑剤を充填することにより、軸受空間に海水等が浸入しても固形潤滑剤が流出しないようにし、釣具リールのハンドリング性を損なうことなく、スプール軸の円滑な回転を確保できるようにした。【選択図】図２
2006275245.tif 000002
【特許請求の範囲】
【請求項１】
釣具リールのスプール軸を回転自在に支持し、内輪と外輪の間の軸受空間に複数の転動体を保持器で保持した釣具リール用軸受において、前記軸受空間に、潤滑グリースと平均分子量１×１０６〜５×１０６の超高分子量ポリエチレンを主成分とする混合物を熱固化した固形潤滑剤を充填したことを特徴とする釣具リール用軸受。
【請求項２】
前記軸受空間をシールで密封した請求項１に記載の釣具リール用軸受。
【請求項３】
前記シールを弾性部材で形成したシールリップを有する接触シールとし、この接触シールのシールリップをシール摺接面に線接触させるようにした請求項２に記載の釣具リール用軸受。
【請求項４】
前記接触シールを固定側の外輪に取り付け、前記シールリップを回転側の内輪に設けたシール摺接面に線接触させるようにした請求項３に記載の釣具リール用軸受。
【請求項５】
前記保持器をステンレス鋼で形成した請求項１乃至４のいずれかに記載の釣具リール用軸受。
【発明の詳細な説明】
【技術分野】
【０００１】
本発明は、釣具リールのスプール軸を回転自在に支持する釣具リール用軸受に関する。
【背景技術】
【０００２】
釣具リールのスプール軸を回転自在に支持する釣具リール用軸受には玉軸受等の転がり軸受が使用され、その内輪と外輪の間に複数の転動体が保持器で保持された軸受空間には、スプールの装着されたスプール軸が円滑に回転するように、潤滑グリースが充填されている。
【０００３】
このような釣具リール用軸受では、軸受空間に海水、雨水、洗浄水等が浸入しやすく、軸受空間に充填された潤滑グリースが乳化して流出し、スプール軸が円滑に回転しなくなることがある。また、軸受空間への海水等の浸入によって、内外輪や転動体等の軸受部品に錆が生じ、スプール軸の円滑な回転が阻害されることもある。スプール軸が円滑に回転しないと、仕掛けの投擲距離が短くなったり、仕掛けの沈降速度が遅くなったりし、釣果に大きく影響する。
【０００４】
このような海水等の浸入によるスプール軸の円滑な回転の阻害を防止する手段としては、リール本体に転がり軸受全体をシールするシール部を設ける手段（例えば、特許文献１参照）や、転がり軸受の内外輪や転動体をステンレス鋼等の高耐食性材料で形成するか、または高耐食性材料で被覆する手段（例えば、特許文献２参照）が提案されている。
【０００５】
【特許文献１】特開２００１−１７８３３２号公報（第３、５図）
【特許文献２】特開２００２−１０１７９５号公報（第２、３頁）
【発明の開示】
【発明が解決しようとする課題】
【０００６】
特許文献１に記載されたリール本体に転がり軸受全体をシールするシール部を設ける手段は、軸受空間への海水等の浸入を防止してスプール軸の円滑な回転を確保できるが、リール本体が大型化するとともに重くなり、釣具リールのハンドリング性が損なわれる問題がある。
【０００７】
一方、特許文献２に記載された転がり軸受の内外輪や転動体に耐食性を持たせる手段は、潤滑グリースの乳化による軸受空間からの流出を防止できず、スプール軸の円滑な回転を確保できない。また、転動体を保持する金属製保持器の発錆を防止できない問題もある。
【０００８】
そこで、本発明の課題は、釣具リールのハンドリング性を損なうことなく、スプール軸の円滑な回転を確保することである。
【課題を解決するための手段】
【０００９】
上記の課題を解決するために、本発明は、釣具リールのスプール軸を回転自在に支持し、内輪と外輪の間の軸受空間に複数の転動体を保持器で保持した釣具リール用軸受において、前記軸受空間に、潤滑グリースと平均分子量１×１０６〜５×１０６の超高分子量ポリエチレンを主成分とする混合物を熱固化した固形潤滑剤を充填した構成を採用した。
【００１０】
すなわち、軸受空間に、潤滑グリースと平均分子量１×１０６〜５×１０６の超高分子量ポリエチレンを主成分とする混合物を熱固化した流動性のない固形潤滑剤を充填することにより、軸受空間に海水等が浸入しても固形潤滑剤が流出しないようにし、リール本体に余分なシール部を設けずに釣具リールのハンドリング性を損なうことなく、スプール軸の円滑な回転を確保できるようにした。
【００１１】
前記軸受空間をシールで密封することにより、軸受空間への海水等の浸入を防止し、より良好にスプール軸の円滑な回転を確保することができる。
【００１２】
前記シールを弾性部材で形成したシールリップを有する接触シールとし、この接触シールのシールリップをシール摺接面に線接触させることにより、軸受空間への海水等の浸入をより確実に防止するとともに、シールリップのシール摺接面への接触によるトルク損失を抑制して、スプール軸の円滑な回転を確保することができる。
【００１３】
前記接触シールを固定側の外輪に取り付け、前記シールリップを回転側の内輪に設けたシール摺接面に線接触させることにより、回転側の質量増加をなくして、スプール軸をより円滑に回転させることができる。
【００１４】
前記保持器をステンレス鋼で形成することにより、保持器の発錆を防止することができる。
【発明の効果】
【００１５】
本発明の釣具リール用軸受は、軸受空間に、潤滑グリースと平均分子量１×１０６〜５×１０６の超高分子量ポリエチレンを主成分とする混合物を熱固化した流動性のない固形潤滑剤を充填したので、軸受空間に海水等が浸入しても固形潤滑剤が流出しないようにし、リール本体に余分なシール部を設けずに釣具リールのハンドリング性を損なうことなく、スプール軸の円滑な回転を確保することができる。
【００１６】
前記軸受空間をシールで密封することにより、軸受空間への海水等の浸入を防止し、より良好にスプール軸の円滑な回転を確保することができる。
【００１７】
前記シールを弾性部材で形成したシールリップを有する接触シールとし、この接触シールのシールリップをシール摺接面に線接触させることにより、軸受空間への海水等の浸入をより確実に防止できるとともに、シールリップのシール摺接面への接触によるトルク損失を抑制して、スプール軸の円滑な回転を確保することができる。
【００１８】
前記接触シールを固定側の外輪に取り付け、前記シールリップを回転側の内輪に設けたシール摺接面に線接触させることにより、回転側の質量増加をなくして、スプール軸をより円滑に回転させることができる。
【００１９】
前記保持器をステンレス鋼で形成することにより、保持器の発錆を防止することができる。
【発明を実施するための最良の形態】
【００２０】
以下、図面に基づき、本発明の実施形態を説明する。図１は、本発明に係る釣具リール用軸受を採用した釣具リールを示す。この釣具リールは手回し式の両軸受リールであり、リール本体１１と、リール本体１１の側方に配置されたハンドル１２と、ハンドル１２のリール本体１１側に配置されたドラグ１３とを備え、ハンドル１２の回転がリール本体１１に組み込まれた回転伝達機構とクラッチ機構（図示省略）を介して、スプール１４が装着されたスプール軸１４ａに伝達され、取り付け脚１５を介して釣竿に取り付けられるようになっている。
【００２１】
前記リール本体１１は、左右一対の側板１６ａ、１６ｂとこれらを連結する複数の連結部材１６ｃとから成るフレーム１６と、フレーム１６の左右両側に装着されたカバー１７ａ、１７ｂとを有し、各カバー１７ａ、１７ｂの内側に設けられた筒部１８ａ、１８ｂに玉軸受１が取り付けられて、これらの玉軸受１でスプール軸１４ａが回転自在に支持されている。
【００２２】
前記各玉軸受１は、図２に示すように、外輪２が各カバー１７ａ、１７ｂの筒部１８ａ、１８ｂに固定され、内輪３が回転するスプール軸１４ａの両端部に取り付けられており、複数のボール４が保持器５で保持された軸受空間には、潤滑グリースと平均分子量１×１０６〜５×１０６の超高分子量ポリエチレンを主成分とする混合物を熱固化した固形潤滑剤が固形潤滑剤の封入領域Ａに充填されている。この固形潤滑剤の封入形態は、固形潤滑剤の封入領域Ａのほぼ全体に封入したものとしてもよいし、保持器５の表面に多点封入したものとしてもよい。したがって、軸受空間に海水等が浸入しても、流動性のない固形潤滑剤は流出する恐れがない。なお、外輪２、内輪３、ボール４および保持器５は、いずれもステンレス鋼ＳＵＳ４４０Ｃで形成されている。
【００２３】
前記軸受空間の両側は、芯金６ａと弾性部材６ｂとから成る接触シール６で密封されている。接触シール６は外輪２の内周両端部に設けられた係止溝２ａに固定され、弾性部材６ｂで形成されたシールリップ６ｃが、内輪３の外周に設けられたシール摺接面３ａと線接触している。したがって、軸受空間への海水等の浸入がより確実に防止されるとともに、シールリップ６ｃのシール摺接面３ａとの接触によるトルク損失が抑制される。
【００２４】
上述した実施形態では、釣具リールを手回し式の両軸受リールとしたが、本発明に係る釣具リール用軸受は、電動式のリールや片軸受リールにも採用することができる。また、軸受によるスプール軸の支持位置も、実施形態のような両端部に限定されることはなく、例えば、軸受の外輪を左右の側板に固定して、スプール軸のやや中央部寄りを支持するようにしてもよい。
【図面の簡単な説明】
【００２５】
【図１】本発明に係る釣具リール用軸受を採用した釣具リールを示す一部切欠き正面図
【図２】図１の玉軸受を拡大して示す縦断面図
【符号の説明】
【００２６】
Ａ  固形潤滑剤の封入領域
１  玉軸受
２  外輪
２ａ  係止溝
３  内輪
３ａ  シール摺接面
４  ボール
５  保持器
６  接触シール
６ａ  芯金
６ｂ  弾性部材
６ｃ  シールリップ
１１  リール本体
１２  ハンドル
１３  ドラグ
１４  スプール
１４ａ  スプール軸
１５  取り付け脚
１６  フレーム
１６ａ、１６ｂ  側板
１６ｃ  連結部材
１７ａ、１７ｂ  カバー
１８ａ、１８ｂ  筒部
【図１】
2006275245.tif 000003
【図２】
2006275245.tif 000004